【手続補正書】
【提出日】平成15年5月30日(2003.5.30)
【手続補正１】
【補正対象書類名】明細書
【補正対象項目名】特許請求の範囲
【補正方法】変更
【補正の内容】
【特許請求の範囲】
【請求項１】
遊技機と、該遊技機が複数台設置された遊技店において会員となった遊技者に関する情報および前記遊技機に関する情報等を管理する遊技設備装置と、からなる遊技システムであって、
前記遊技機は、
複数の識別図柄を変動表示可能な複数の変動表示手段と、
変動表示の実行に関連して複数種の入賞のうち何れかの入賞に当選したか否かを抽選する抽選手段と、
前記抽選手段による抽選結果が何れかの入賞に当選した場合に、遊技者によるストップ操作に基づいて当該当選した入賞に対応した識別図柄を停止表示し得るように各変動表示手段の停止制御を行う停止制御手段と、
前記抽選手段による抽選結果に関する信号を外部出力可能な信号出力手段と、を備え、
前記遊技設備装置は、
前記遊技機の信号出力手段から出力された外部信号を入力可能な信号入力手段と、
遊技者を特定するとともに、当該遊技者が保有する会員情報の管理を行うデータ管理手段と、
遊技機の周辺に設けられ、前記信号入力手段が入力した前記抽選結果に関する信号に基づいて、当選した入賞に対応した識別図柄を停止表示するために必要な情報を表示可能な情報表示手段と、
を備え、
前記情報表示手段は、前記データ管理手段が管理する会員情報に基づいて、前記当選した入賞に対応した識別図柄を停止表示するために必要な情報を表示するか否かを決定する情報表示決定手段を含んでいることを特徴とする遊技システム。
【請求項２】
前記情報表示手段は、前記当選した入賞に対応した識別図柄を停止表示するために必要な情報として、当選した入賞の種類を識別可能な情報を表示することを特徴とする請求項１に記載の遊技システム。
【請求項３】
前記複数種の入賞には、特定の識別図柄を狙ってストップ操作しなければ入賞を獲得できない入賞が含まれ、
前記情報表示手段は、前記当選した入賞に対応した識別図柄を停止表示するために必要な情報として、前記特定の識別図柄を狙ってストップ操作しなければ入賞を獲得できない入賞が当選している場合に、当該当選している入賞に対応する識別図柄を表示することを特徴とする請求項１または請求項２に記載の遊技システム。
【請求項４】
前記データ管理手段は、所定の条件に基づいて遊技店が会員に付与した有意価値の管理を行う有意価値管理手段を含み、
前記遊技設備装置の情報表示決定手段は、前記有意価値管理手段が管理する有意価値に基づいて、前記当選した入賞に対応した識別図柄を停止表示するために必要な情報を表示するか否かを決定することを特徴とする請求項１乃至請求項３の何れかに記載の遊技システム。
【請求項５】
前記情報表示決定手段は、前記有意価値管理手段が当該遊技者の保有する有意価値を所定数減算したことを条件に、前記当選した入賞に対応した識別図柄を停止表示するために必要な情報を表示することを決定するようにしたこと特徴とする請求項４に記載の遊技システム。
【請求項６】
前記情報表示手段は、前記遊技機において変動表示が所定回数実行される期間において、前記当選した入賞に対応した識別図柄を停止表示するために必要な情報を表示することを特徴とする請求項１乃至請求項５の何れかに記載の遊技システム。
【請求項７】
遊技機と、該遊技機が複数台設置された遊技店において会員となった遊技者に関する情報および前記遊技機に関する情報等を管理する遊技設備装置と、からなる遊技システムであって、
前記遊技機は、
複数の識別図柄を変動表示可能な複数の変動表示手段と、
変動表示の実行に関連して複数種の入賞のうち何れかの入賞に当選したか否かを抽選する抽選手段と、
前記抽選手段による抽選結果が何れかの入賞に当選した場合に、遊技者によるストップ操作に基づいて当該当選した入賞に対応した識別図柄を停止表示し得るように各変動表示手段の停止制御を行う停止制御手段と、
前記抽選手段による抽選結果に関する信号を外部出力可能な信号出力手段と、を備え、
前記遊技設備装置は、
前記遊技機の信号出力手段から出力された外部信号を入力可能な信号入力手段と、
遊技機の周辺に設けられ、前記信号入力手段が前記複数種の入賞のうち予め定められている特別入賞の当選を示す信号を入力した場合に、当該特別入賞が当選したことを識別可能な情報を表示可能な情報表示手段と、
を備え、
前記情報表示手段は、前記特別入賞が当選したことを識別可能な情報を表示するか否かを設定変更可能な設定変更手段を含んでいることを特徴とする遊技システム。
【請求項８】
前記設定変更手段は、遊技者が設定変更操作を可能に構成されていることを特徴とする請求項７に記載の遊技システム。
【手続補正２】
【補正対象書類名】明細書
【補正対象項目名】０００６
【補正方法】変更
【補正の内容】
【０００６】
【課題を解決するための手段】
上記目的を達成するために、請求項１に係る発明は、遊技機と、該遊技機が複数台設置された遊技店において会員となった遊技者に関する情報および前記遊技機に関する情報等を管理する遊技設備装置と、からなる遊技システムであって、前記遊技機は、複数の識別図柄を変動表示可能な複数の変動表示手段と、変動表示の実行に関連して複数種の入賞のうち何れかの入賞に当選したか否かを抽選する抽選手段と、前記抽選手段による抽選結果が何れかの入賞に当選した場合に、遊技者によるストップ操作に基づいて当該当選した入賞に対応した識別図柄を停止表示し得るように各変動表示手段の停止制御を行う停止制御手段と、前記抽選手段による抽選結果に関する信号を外部出力可能な信号出力手段とを備え、前記遊技設備装置は、前記遊技機の信号出力手段から出力された外部信号を入力可能な信号入力手段と、遊技者を特定するとともに、当該遊技者が保有する会員情報の管理を行うデータ管理手段と、遊技機の周辺に設けられ、前記信号入力手段が入力した前記抽選結果に関する信号に基づいて、当選した入賞に対応した識別図柄を停止表示するために必要な情報を表示可能な情報表示手段とを備え、前記情報表示手段は、前記データ管理手段が管理する会員情報に基づいて、前記当選した入賞に対応した識別図柄を停止表示するために必要な情報を表示するか否かを決定する情報表示決定手段を含むようにしたものである。


【手続補正３】
【補正対象書類名】明細書
【補正対象項目名】０００８
【補正方法】変更
【補正の内容】
【０００８】
請求項２に係る発明は、前記情報表示手段は、前記当選した入賞に対応した識別図柄を停止表示するために必要な情報として、前記抽選結果に関する信号に基づいて当選した入賞の種類を識別可能な情報を表示するようにしたものである。これにより、遊技者は当選した入賞の種類を知ることができ、その入賞を獲得するための識別図柄を狙ったストップ操作を行うことができるようになるので、内部当選した入賞を効率よく獲得して遊技媒体を増加できる。
【手続補正４】
【補正対象書類名】明細書
【補正対象項目名】０００９
【補正方法】変更
【補正の内容】
【０００９】
請求項３に係る発明は、前記複数種の入賞には、特定の識別図柄を狙ってストップ操作しなければ入賞を獲得できない入賞が含まれ、前記情報表示手段は、前記当選した入賞に対応した識別図柄を停止表示するために必要な情報として、前記特定の識別図柄を狙ってストップ操作しなければ入賞を獲得できない入賞が当選している場合に、当該当選している入賞に対応する識別図柄を表示するようにしたものである。
これにより、遊技者は、本来ならば比較的低い確率（例えば、１／３）でしか獲得できない特定の識別図柄を狙ってストップ操作しなければ入賞を獲得できない入賞（例えば、大王冠入賞）を比較的容易に獲得することができるので、遊技による利益を確実に増大させることができ、会員ポイントに対する満足度が向上する。また、満足のいくサービスを受けられるために遊技者は来店する機会を増加するようになるので、遊技店の利益向上に役立つ。
【手続補正５】
【補正対象書類名】明細書
【補正対象項目名】００１０
【補正方法】変更
【補正の内容】
【００１０】
請求項４に係る発明は、前記データ管理手段は、所定の条件に基づいて遊技店が会員に付与した有意価値の管理を行う有意価値管理手段を含み、前記遊技設備装置の情報表示決定手段は、前記有意価値管理手段が管理する有意価値に基づいて、前記当選した入賞に対応した識別図柄を停止表示するために必要な情報を表示するか否かを決定するようにしたものである。
ここで、会員となった遊技者に遊技店から付与される会員ポイントのように遊技者（会員）にとって意味のある価値を本明細書においては有意価値と称し、例えば来店するたびに付与される来店ポイントや、遊技時間に応じて付与される遊技ポイント等がこれに相当する。
これにより、遊技者が保有する会員ポイントの量に応じて遊技者にとって有利となる遊技に関する情報を表示するようにしたので、遊技者の保有する会員ポイントが多いほど有利となる。したがって、遊技者は遊技店から付与される会員ポイントを増やすために来店する機会や遊技時間を増やすため、遊技店の利益向上に役立つ。
【手続補正６】
【補正対象書類名】明細書
【補正対象項目名】００１１
【補正方法】変更
【補正の内容】
【００１１】
請求項５に係る発明は、前記情報表示決定手段は、前記有意価値管理手段が当該遊技者の保有する有意価値を所定数減算したことを条件に、前記当選した入賞に対応した識別図柄を停止表示するために必要な情報を表示することを決定するようにしたものである。すなわち、遊技者が保有する会員ポイントの量に見合ったサービスを提供するようにした。
これにより、会員ポイントの量に関係なく遊技者にとって有利となるサービスを提供することで遊技店の不利益が大きくなってしまうことを防止できる一方、会員ポイントが多く貯まっている遊技者に対しては大きなサービスを提供できるので、遊技者と遊技店との利益バランスのとれたサービスを実現できる。


【手続補正７】
【補正対象書類名】明細書
【補正対象項目名】００１２
【補正方法】変更
【補正の内容】
【００１２】
請求項６に係る発明は、前記情報表示手段は、前記遊技機において変動表示が所定回数実行される期間において、前記当選した入賞に対応した識別図柄を停止表示するために必要な情報を表示するようにしたものである。
これにより、遊技者にとって有利となるサービスの提供を遊技機での遊技内容に対応した形態で確実に制限することができる。


【手続補正８】
【補正対象書類名】明細書
【補正対象項目名】００１３
【補正方法】変更
【補正の内容】
【００１３】
請求項７に係る発明は、遊技機と、該遊技機が複数台設置された遊技店において会員となった遊技者に関する情報および前記遊技機に関する情報等を管理する遊技設備装置とからなる遊技システムであって、前記遊技機は、複数の識別図柄を変動表示可能な複数の変動表示手段と、変動表示の実行に関連して複数種の入賞のうち何れかの入賞に当選したか否かを抽選する抽選手段と、前記抽選手段による抽選結果が何れかの入賞に当選した場合に、遊技者によるストップ操作に基づいて当該当選した入賞に対応した識別図柄を停止表示し得るように各変動表示手段の停止制御を行う停止制御手段と、前記抽選手段による抽選結果に関する信号を外部出力可能な信号出力手段とを備え、前記遊技設備装置は、前記遊技機の信号出力手段から出力された外部信号を入力可能な信号入力手段と、遊技機の周辺に設けられ、前記信号入力手段が前記複数種の入賞のうち予め定められている特別入賞の当選を示す信号を入力した場合に、当該特別入賞が当選したことを識別可能な情報を表示可能な情報表示手段とを備え、前記情報表示手段は、前記特別入賞が当選したことを識別可能な情報を表示するか否かを設定変更可能な設定変更手段を含むようにしたものである。
これにより、信号入力手段から入力された信号に基づいて所定の情報を表示するか否かに応じて当該遊技機の性能や様式が変化するような遊技機においては、前記設定変更手段により適宜その性能や様式を変化させることが可能となる。


【手続補正９】
【補正対象書類名】明細書
【補正対象項目名】００１６
【補正方法】変更
【補正の内容】
【００１６】
また、内部当選した状態で遊技を終了する虞のある初心者向けには内部当選を報知する設定とし、出目（リールの停止表示態様）やリールのスベリ具合、演出表示の内容等により内部当選したか否かを探求する楽しみを持つ熟練者向けには内部当選を報知しない設定とすることができるので、このような複数種のタイプの遊技者の何れでも安心して楽しめるようなシステムを提供することができる。また、遊技店の係員が設定変更操作を行うように設定変更手段を構成した場合には、遊技店に来店する遊技者の層に応じて設定変更することができ、遊技店の利益向上にも役立つ。


【手続補正１０】
【補正対象書類名】明細書
【補正対象項目名】００１７
【補正方法】変更
【補正の内容】
【００１７】
請求項８に係る発明は、前記設定変更手段は、遊技者が設定変更操作を可能に構成したものである。
これにより、遊技者は好みに応じて特別入賞に内部当選したことを報知する完全ボーナス告知機能や小役ナビ機能等の設定を有効にするか否かを選択することができる。


【手続補正１１】
【補正対象書類名】明細書
【補正対象項目名】００７２
【補正方法】変更
【補正の内容】
【００７２】
【発明の効果】
本発明によれば、遊技機と、該遊技機が複数台設置された遊技店において会員となった遊技者に関する情報および前記遊技機に関する情報等を管理する遊技設備装置と、からなる遊技システムであって、前記遊技機は、複数の識別図柄を変動表示可能な複数の変動表示手段と、変動表示の実行に関連して複数種の入賞のうち何れかの入賞に当選したか否かを抽選する抽選手段と、前記抽選手段による抽選結果が何れかの入賞に当選した場合に、遊技者によるストップ操作に基づいて当該当選した入賞に対応した識別図柄を停止表示し得るように各変動表示手段の停止制御を行う停止制御手段と、前記抽選手段による抽選結果に関する信号を外部出力可能な信号出力手段とを備え、前記遊技設備装置は、前記遊技機の信号出力手段から出力された外部信号を入力可能な信号入力手段と、遊技者を特定するとともに、当該遊技者が保有する会員情報の管理を行うデータ管理手段と、遊技機の周辺に設けられ、前記信号入力手段が入力した前記抽選結果に関する信号に基づいて、当選した入賞に対応した識別図柄を停止表示するために必要な情報を表示可能な情報表示手段とを備え、前記情報表示手段は、前記データ管理手段が管理する会員情報に基づいて、前記当選した入賞に対応した識別図柄を停止表示するために必要な情報を表示するか否かを決定する情報表示決定手段を含むようにして、遊技店の会員となっている遊技者に、遊技に関係する情報、すなわち遊技者の実際の遊技による利益に直接関係する情報を表示することを可能としたので、遊技者に満足のいくサービスを提供できるようになる。したがって、遊技者が来店する機会を増やすことができ遊技店の利益向上に役立つとともに、遊技者を新規獲得または確保する手段として有効である。


【手続補正１２】
【補正対象書類名】明細書
【補正対象項目名】００２４
【補正方法】変更
【補正の内容】
【００２４】
図２は、本実施形態に係るスロットマシン１００と遊技周辺装置２３０の正面図であり、隣接するスロットマシンの間に遊技周辺装置２３０が設けられている。
スロットマシン１００の前面パネル２の上半部の略中央には、変動表示手段としてのリール４ａ、４ｂ、４ｃの回転により変動表示される識別図柄（以下、単に図柄という）を遊技者に視認させるための表示窓部２０が設けられている。この表示窓部２０からは、リール４ａ、４ｂ、４ｃが停止している状態で各リール４ａ、４ｂ、４ｃの外周面に表記された図柄列のうち３個の図柄がそれぞれ視認可能となっている。つまり、リール４ａ、４ｂ、４ｃが停止した状態では、表示窓部２０から合計９個の図柄が視認できる。


【手続補正１３】
【補正対象書類名】明細書
【補正対象項目名】０００７
【補正方法】変更
【補正の内容】
【０００７】
これにより、通常は偶然にタイミングあるいは各変動表示手段の停止順序があった場合だけしか獲得できない入賞が内部当選したときでも、当該入賞に対応した識別図柄を停止表示するために必要な情報が報知され、内部当選した入賞を効率よく獲得して遊技媒体を増加できるので、遊技店の会員となっている遊技者にとって極めて有利なサービスとなる。したがって、遊技者が来店する機会を増やすことができ遊技店の利益向上に役立つとともに、遊技者を新規獲得または確保する手段として有効である。
ここで、「当選した入賞に対応した識別図柄を停止表示するために必要な情報」とは、遊技媒体の獲得量を増加させるような遊技者が遊技を進行する上で直接利益となる情報であり、例えばスロットマシンの遊技において、内部当選した小役入賞の種類を識別可能とする情報（いわゆる小役ナビ情報）が考えられる。また、図柄組合せ態様が同一であるにも関わらず停止順序が異なる複数の小役入賞を設け、予め定められた順序でリールのストップ操作を行わないと前記小役入賞を獲得できないようにしたスロットマシンにおいて、内部当選した小役入賞を獲得するためのリール停止順序を識別可能とする情報（いわゆる押し順ナビ情報）としてもよい。さらに、スロットマシンにおいて、ビッグボーナス（以下、ＢＢと称する）状態中に、より多くの遊技媒体を獲得できるように遊技の進行手順を報知する情報（例えば、リプレイ外しを指示する情報）等としてもよい。
「遊技機の周辺」とは、遊技機の上部あるいは左右何れかの側部の島設備が考えられる。


【手続補正１４】
【補正対象書類名】明細書
【補正対象項目名】００１４
【補正方法】変更
【補正の内容】
【００１４】
例えば、設定変更手段の設定変更操作により、遊技者の技量あるいは嗜好タイプによって好みの別れる遊技機においては、遊技店に来店する遊技者の層等を参考にしてどのような様式にするかを設定することが可能となり、非常に営業しやすいシステムとなる。
ここで、特別入賞が当選したことを識別可能な情報とはＢＢ入賞やＲＢ入賞に内部当選したことを示すボーナス成立情報や、何れかの小役入賞に内部当選している可能性があることを示す小役成立情報等が考えられる。